(57)【要約】      （修正有）【課題】副走査方向に小型化を図ることができる画像読取装置を提供する。【解決手段】画像読取装置の走査体後端部分は、原稿載置台が上面に設けられた筐体、筐体内において往復移動可能に設けられる走査体３４、および一端部が走査体の画像読取部に接続されるフラットケーブル３８を備える。フラットケーブルは、走査体の移動に追従して変形可能な追従変形部６０と、主走査方向に並ぶように折り曲げられた折り曲げ部６２とを含む。この折り曲げ部は、走査体の基台４０の下面に配置され、基台の下面には、折り曲げ部を保持する保持部７４が形成される。【選択図】図６
2020195044.tif 000002
【特許請求の範囲】
【請求項１】
原稿載置台が上面に設けられた筐体、
前記筐体内において副走査方向に往復移動可能に設けられる基台と、前記基台によって保持され、前記原稿載置台上に載置された原稿を前記副走査方向に移動しながら読み取る画像読取部とを有する走査体、および
可撓性を有し、一端部が前記原稿載置台と平行に前記画像読取部に接続されるフラットケーブルを備え、
前記フラットケーブルは、
副走査方向に沿って延びるように配線され、前記走査体の移動に追従して変形する追従変形部と、
前記追従変形部の前記一端部側に連なり、前記フラットケーブルが前記原稿載置台と平行に主走査方向に並ぶように折り曲げられた折り曲げ部とを含み、
前記折り曲げ部は、前記基台の下面に沿って配置され、
前記基台は、下面に前記折り曲げ部を保持する保持部を有する、画像読取装置。
【請求項２】
前記フラットケーブルは、前記折り曲げ部の前記一端部側に連なり、前記走査体の側面に沿って前記一端部まで延びる連結部を含む、請求項１記載の画像読取装置。
【請求項３】
前記基台の下面に形成され、前記折り曲げ部の前記主走査方向に並ぶ前記フラットケーブル間に挿通される突出部を有する、請求項１または２記載の画像読取装置。
【請求項４】
前記突出部の前記副走査方向における一方端縁は、前記折り曲げ部を前記副走査方向に規制する、請求項３記載の画像読取装置。
【請求項５】
前記走査体は、前記原稿載置台の下面に当接する摺動部を有し、
前記摺動部は、前記主走査方向における前記追従変形部の幅内に配置される、請求項１から４のいずれかに記載の画像読取装置。
【請求項６】
前記筐体は、前記原稿載置台の上面周縁部を覆う上筐体部を含み、
前記追従変形部は、前記上筐体部によって上方を覆われる位置に配置される、請求項１から５のいずれかに記載の画像読取装置。
【請求項７】
請求項１から６のいずれかに記載の画像読取装置を備える、画像形成装置。
【発明の詳細な説明】
【技術分野】
【０００１】
この発明は画像読取装置および画像形成装置に関し、特にたとえば、原稿載置台に載置された原稿上の画像を読み取るための走査体を備える、画像読取装置および画像形成装置に関する。
【背景技術】
【０００２】
従来の画像読取装置の一例が特許文献１に開示される。特許文献１の画像読取装置は、画像読取ユニットと、画像読取ユニットに対して所定の間隔を有して支持され、上面が原稿支持面とされる原稿台ガラスと、画像読取ユニットに設けられ原稿台ガラスに支持されている原稿の画像を読み取る密着型イメージセンサと、一端部が画像読取ユニットに連結されるフラットケーブルとを備える。このフラットケーブルは、フラットケーブルの平面部分を原稿台ガラスと鉛直方向にねじるための支持部としてのガイド部材がキャリッジに対して右側（副走査方向の一方側）に離間する位置に配置される。
【先行技術文献】
【特許文献】
【０００３】
【特許文献１】特開２００１−３４６００６号公報
【発明の概要】
【発明が解決しようとする課題】
【０００４】
特許文献１の技術では、フラットケーブルの平面部分を原稿台ガラスと鉛直方向にねじるための支持部としてのガイド部材が、キャリッジに対して右側（副走査方向の一方側）に離間する位置に配置される。このため、移動体の右側に大きなスペースが必要となり、画像読取装置が副走査方向に大型化してしまう。
【０００５】
それゆえに、この発明の主たる目的は、新規な、画像読取装置および画像形成装置を提供することである。
【０００６】
この発明の他の目的は、副走査方向に小型化を図ることができる、画像読取装置および画像形成装置を提供することである。
【課題を解決するための手段】
【０００７】
第１の発明は、原稿載置台が上面に設けられた筐体、筐体内において副走査方向に往復移動可能に設けられる基台と、基台によって保持され、原稿載置台上に載置された原稿を副走査方向に移動しながら読み取る画像読取部とを有する走査体、および可撓性を有し、一端部が原稿載置台と平行に画像読取部に接続されるフラットケーブルを備える画像形成装置である。この画像形成装置では、フラットケーブルは、追従変形部と折り曲げ部とを含む。追従変形部は、副走査方向に沿って延びるように配線され、走査体の移動に追従して変形する。折り曲げ部は、追従変形部の一端部側に連なり、フラットケーブルが原稿載置台と平行に主走査方向に並ぶように折り曲げられている。そして、基台の下面には、折り曲げ部を保持する保持部が形成されており、折り曲げ部は、基台の下面に沿って配置される。
【０００８】
第１の発明によれば、走査体の基台の下面にフラットケーブルの折り曲げ部およびその保持部を配置したので、これらを収容する筐体、延いては画像読取装置を副走査方向において小型化することができる。
【０００９】
第２の発明は、第１の発明に従属し、フラットケーブルは、折り曲げ部の一端部側に連なり、走査体の側面に沿って一端部まで延びる連結部を含む。
【００１０】
第３の発明は、第１または第２の発明に従属し、基台の下面に形成され、折り曲げ部の主走査方向に並ぶフラットケーブル間に挿通される突出部を有する。
【００１１】
第４の発明は、第３の発明に従属し、突出部の副走査方向における一方端縁は、折り曲げ部を副走査方向に規制する。
【００１２】
第５の発明は、第１から第４のいずれかの発明に従属し、走査体は、原稿載置台の下面に当接する摺動部を有し、摺動部は、主走査方向における追従変形部の幅内に配置される。
【００１３】
第５の発明によれば、追従変形部に起因する基台の浮きが摺動部によって防止されるので、走査体をバランス良く往復移動させることができる。
【００１４】
第６の発明は、第１から第５のいずれかの発明に従属し、筐体は、原稿載置台の上面周縁部を覆う上筐体部を含み、追従変形部は、上筐体部によって上方を覆われる位置に配置される。
【００１５】
第６の発明によれば、仮に追従変形部が原稿載置台の下面に接触して原稿載置台が汚れたとしても、上筐体部が設けられる部分は画像読取領域外であるので、画像劣化に繋がらない。また、この汚れはユーザからは見えないので、画像読取装置の美感が低下することもない。
【００１６】
第７の発明は、第１から第６の発明のいずれかに係る画像読取装置を備える、画像形成装置である。
【００１７】
第７の発明によれば、第１の発明と同様の作用効果を奏し、画像読取装置を副走査方向において小型化することができ、延いては画像形成装置を副走査方向に小型化することができる。
【発明の効果】
【００１８】
この発明によれば、走査体の基台の下面にフラットケーブルの折り曲げ部およびその保持部を配置したので、これらを収容する筐体、延いては画像読取装置を副走査方向において小型化することができる。
【００１９】
この発明の上述の目的、その他の目的、特徴および利点は、図面を参照して行う後述の実施例の詳細な説明から一層明らかとなろう。
【図面の簡単な説明】
【００２０】
【図１】この発明の第１実施例である画像読取装置を備える画像形成装置の外観を示す図解図である。
【図２】画像読取装置の本体部分の外観を示す斜視図である。
【図３】上面部分を省略して画像読取装置の内部構造を示す斜視図である。
【図４】上面部分を省略して画像読取装置の内部構造を示す平面図である。
【図５】フラットケーブルを接続した走査体の後端部分を示す第１斜視図である。
【図６】フラットケーブルを接続した走査体の後端部分を示す第２斜視図である。
【図７】フラットケーブルを接続した走査体の後端部分を示す底面図である。
【図８】フラットケーブルを接続する前の走査体の後端部分を示す斜視図である。
【図９】図２のIX-IX線で切断した画像読取装置の後端部分を示す断面図である。
【図１０】図８の７８ｂを下側から見た図である。
【発明を実施するための形態】
【００２１】
［第１実施例］
図１を参照して、この発明の第１実施例である画像読取装置１０は、副走査方向に往復移動可能に設けられる走査体（ＣＩＳ走査体３４）を備え、複写機、ファクシミリ、プリンタおよびこれらの複合機などの画像形成装置１００に用いられる。この実施例では、画像形成装置１００は、複写機能、プリンタ機能、スキャナ機能およびファクシミリ機能などを有する複合機（ＭＦＰ：Multifunction Peripheral）である。ただし、画像形成装置１００は、少なくとも原稿の固定読みが可能な画像読取装置１０（スキャナ機能）を備えていればよく、上記の他の機能は任意に採用することができる。
【００２２】
先ず、画像形成装置１００の基本構成について概略的に説明する。なお、この発明においては、ユーザの立ち位置に対向する面、つまり操作部１６が設けられる側の面を前面（正面）として画像形成装置１００およびその構成部材の前後方向（奥行方向）を規定し、画像形成装置１００およびその構成部材の左右方向（横方向）は、ユーザから画像形成装置１００を見た状態を基準として規定する。また、ＣＩＳ走査体３４の長手方向を主走査方向と呼び、この主走査方向と直交する方向であって、ＣＩＳ走査体３４が往復移動する方向を副走査方向と呼ぶ。この第１実施例では、前後方向が主走査方向であり、左右方向が副走査方向である。
【００２３】
図１に示すように、画像形成装置１００は、画像形成装置本体１２およびその上方に配置される画像読取装置１０を含み、画像読取装置１０で読み込まれた画像データまたは外部コンピュータから送信された画像データに基づいて、所定の用紙（記録紙）に対して多色または単色の画像を形成する。
【００２４】
画像形成装置本体１２内の所定位置には、画像形成装置１００の各部位の動作を制御する制御部（図示せず）が設けられる。制御部は、ＣＰＵおよびメモリ等を備え、ユーザによる操作部１６への入力操作などに応じて、画像読取装置１０を含む画像形成装置１００の各部位に制御信号を送信し、画像形成装置１００に種々の動作を実行させる。
【００２５】
また、画像形成装置本体１２には、露光ユニット、感光体ドラム、帯電器、現像装置および定着ローラ等を備える画像形成部１８が内蔵される。画像形成部１８は、給紙カセット２０等から搬送される記録紙上に画像を形成し、画像形成済みの記録紙を排出トレイ２２に排出する。
【００２６】
図１と共に図２〜図４を参照して、画像読取装置１０は、矩形平板状の底板２４ａおよびその周縁部分から立ち上がる左右前後の４つの側壁２４ｂを有する合成樹脂製の筐体２４を備える。筐体２４の上面には、透明材によって形成される原稿載置台（プラテンガラスとも言う）２６およびＳＰＦガラス２８が設けられる。ＳＰＦガラス２８は、原稿トレイ３０に載置された原稿が搬送され、搬送された原稿をＳＰＦガラス２８介して読み取るためのガラスである。
【００２７】
この原稿載置台２６およびＳＰＦガラス２８の周縁部の上面は、筐体２４の一部を構成する枠体状の上筐体部２４ｃによって覆われている。上筐体部２４ｃは原稿載置台を支持している。支持として例えば両面テープで原稿載置台の上面に貼り付けても良いし、上面から押さえても良い。
【００２８】
なお、原稿載置台２６とＳＰＦガラス２８とは、１枚の板体（単一のガラス）によって構成されていてもよいし、別体（別々のガラス）で構成されていてもよい。また、上筐体部２４ｃも、１つの部材で構成されていてもよいし、複数の部材を組み合せて構成されていてもよい。
【００２９】
筐体２４の上には、ヒンジ等を介して原稿押さえカバー１４が開閉自在に取り付けられる。筐体２４の背面部には、後側の側壁２４ｂの後方に筐体延出部２４ｄが設けられており、この筐体延出部２４ｄにヒンジ等の取付部が設けられる。そして、原稿押さえカバー１４は、背面側のヒンジを開閉支点として前面側が上下動するように開閉自在とされる。
【００３０】
原稿押さえカバー１４には、原稿トレイ３０に載置された原稿を画像読取位置に対して１枚ずつ自動的に給紙するＡＤＦ（自動原稿送り装置）３２が設けられる。さらに、筐体２４の前面側には、ユーザによる入力操作を受け付けるタッチパネルディスプレイおよび操作ボタン等を含む操作部１６が設けられる。
【００３１】
また、筐体２４内には、原稿載置台２６に載置された原稿上の画像を読み取るためのＣＩＳ（Contact Image Sensor）走査体３４、ＣＩＳ走査体３４を往復移動させるための移動機構３６、およびＣＩＳ走査体３４で取得された画像データを制御部に伝達するためのフラットケーブル３８等が設けられる。
【００３２】
ＣＩＳ走査体３４は、いわゆる密着型のイメージセンサであり、副走査方向（左右方向）に往復移動可能に設けられる基台（キャリッジ）４０と、基台４０によって保持される画像読取部４２とを含む。
【００３３】
基台４０は、上側開放の矩形箱状に形成され、長手方向が主走査方向（前後方向）に延びるように筐体２４内に配置される。画像読取部４２は、主走査方向に長く延びるように配置された、光源、ロッドレンズアレイ、複数の撮像素子（光電変換素子）などを備える。光源は、たとえば複数のＬＥＤが配列されたＬＥＤアレイであり、原稿表面を照射する。ロッドレンズアレイは、原稿からの反射光を複数の撮像素子へ集光させる。複数の撮像素子は、ロッドレンズアレイによって結像された画素情報を読み取る。また、画像読取部４２の後端部には、回路基板に装着されたコネクタ４４（図８参照）が設けられる。コネクタ４４は、基台４０の側面に露出するように設けられており、このコネクタ４４にフラットケーブル３８の一端部が接続される。
【００３４】
移動機構３６は、ガイドシャフト４６と、駆動プーリ４８、従動プーリ５０および牽引部材５２などの駆動機構とを備える。ガイドシャフト４６は、ＣＩＳ走査体３４の往復移動をガイドするものであり、筐体２４の底板２４ａ上を副走査方向に延びる。ＣＩＳ走査体３４の基台４０は、下面の主走査方向における中央部がこのガイドシャフト４６によって移動可能に支持されている。
【００３５】
駆動プーリ４８は、ガイドシャフト４６の一方端部近傍に設けられ、従動プーリ５０は、ガイドシャフト４６の他端部近傍に設けられる。駆動プーリ４８および従動プーリ５０には、無端帯状の牽引部材５２が巻回され（掛け渡され）、この牽引部材５２にＣＩＳ走査体３４の基台４０が連結される。駆動プーリ４８は、駆動源であるモータ（図示せず）によって回転され、その駆動力を牽引部材５２に伝達する。牽引部材５２は、タイミングベルト、ワイヤまたはチェーン等で構成され、駆動プーリ４８の回転に伴って周運動することによって、ＣＩＳ走査体３４を牽引する。これにより、ＣＩＳ走査体３４は、ガイドシャフト４６に沿って副走査方向に往復移動される。また、従動プーリ５０は、牽引部材５２に所定の張力を付与するものであり、牽引部材５２の周運動に伴い回転する。
【００３６】
フラットケーブル３８は、可撓性を有する帯状の配線部材（フレキシブルフラットケーブル）であり、並列に配置した複数本の導線を絶縁体によって被覆することで形成される。フラットケーブル３８は、一端部が画像読取部４２のコネクタ４４に接続され、他端部が筐体２４の外部に配置された制御部（制御基板）のコネクタに接続されることで、画像読取部４２と制御部とを電気的に接続する。また、フラットケーブル３８は、筐体２４内において副走査方向に延びるように配線される追従変形部６０を有しており、ＣＩＳ走査体３４の移動に追従して変形することが可能である。フラットケーブル３８の配線構造およびＣＩＳ走査体３４によるフラットケーブル３８の保持構造については、後述する。
【００３７】
このような画像読取装置１０において、原稿載置台２６に載置された原稿上の画像を読み取る場合（固定読みの場合）には、ＣＩＳ走査体３４が原稿載置台２６の下方で副走査方向に往復移動することによって、当該原稿上の画像が読み取られ、その画像データが取得される。画像データはフラットケーブル３８によって、フラットケーブル３８の他端部が筐体２４の外部に配置された制御部（制御基板）に画像信号で伝送される。画像信号は画像読取部４２においてアナログ信号からデジタル信号に変換（Ａ／Ｄ変換回路）され、デジタル信号をフラットケーブル３８で伝送している。フラットケーブル３８でアナログ信号よりデジタル信号を伝送する方がフラットケーブル３８の幅が大きくなるが、デジタル信号の方がアナログ信号よりノイズの影響が少ないので、画像信号に影響をおよぼさない。
【００３８】
一方、原稿トレイ３０に載置された原稿上の画像を読み取る場合（流し読みの場合）には、ＣＩＳ走査体３４は、所定の画像読取位置の下方で待機され、ＡＤＦ３２によって搬送される原稿が画像読取位置を通過するときに当該原稿上の画像が読み取られ、その画像データが取得される。
【００３９】
以下、図３および図４と共に図５〜図９を参照して、フラットケーブル３８の配線構造およびＣＩＳ走査体３４によるフラットケーブル３８の保持構造について、具体的に説明する。先ず、フラットケーブル３８の配線構造について説明する。
【００４０】
画像読取部４２のコネクタ４４は、ＣＩＳ走査体３４の主走査方向における一方の端部（後端部）であって、副走査方向における一方の端面（左側面）の下部において、基台４０から露出するように設けられる。すなわち、コネクタ４４は、ＣＩＳ走査体３４の後端部の左側面下部に設けられる。コネクタ４４は、長手方向が主走査方向に延びるように配置されており、このコネクタ４４に対してフラットケーブル３８の一端部が原稿載置台２６と平行に接続される。なお、フラットケーブル３８の説明においては、画像読取部４２のコネクタ４４側を一端部側、制御部のコネクタ側を他端部側と呼ぶ。
【００４１】
フラットケーブル３８は、ＣＩＳ走査体３４の移動に追従して変形する追従変形部６０を有する。具体的には、追従変形部６０は、他端部側に設けられる延設部６０ａと一端部側に設けられる湾曲部６０ｂとを含む。延設部６０ａは、筐体２４の底板２４ａの上面に沿って原稿載置台２６と平行に副走査方向に延び、その一端部はＣＩＳ走査体３４の下方を通るように配線される。湾曲部６０ｂは、延設部６０ａの一端部側に連なり、ＣＩＳ走査体３４よりも左側においてＵ字状に湾曲してＣＩＳ走査体３４に向かって原稿載置台２６と平行に延びる。このような追従変形部６０は、ＣＩＳ走査体３４の往復移動に伴ってその湾曲位置を副走査方向に変えるように変形することで、ＣＩＳ走査体３４の移動に追従する。
【００４２】
筐体２４の底板２４ａの上面には、リブが格子状に形成されており、フラットケーブル３８の追従変形部６０は、最も後ろ側に形成される境界リブ６６と後側の側壁２４ｂとの間を通るように配線される。追従変形部６０の他端部側は、後側の側壁２４ｂに形成された挿通孔を通って筐体延出部２４ｄ内に入り、さらに、筐体延出部２４ｄ内を通って筐体２４外へと延びる。そして、フラットケーブル３８の他端部は、画像形成装置本体１２内の所定位置に設けられた制御部のコネクタに対して接続される。
【００４３】
また、この実施例では、フラットケーブル３８は、追従変形部６０の湾曲部６０ｂの一端部側に連なる折り曲げ部６２を有する。折り曲げ部６２は、フラットケーブル３８が原稿載置台２６と平行に主走査方向に並ぶように折り曲げられて形成される。具体的には、折り曲げ部６２は、湾曲部６０ｂの一端部側に連なって副走査方向に延びる第１部分６２ａと、第１部分６２ａの一端部側から前側に９０度の角度で折り曲げられて主走査方向に延びる第２部分６２ｂと、第２部分６２ｂの一端部側から左側に９０度の角度で折り曲げられて、第１部分６２ａと主走査方向に並んで副走査方向に延びる第３部分６２ｃとを含む。
【００４４】
折り曲げ部６２は、ＣＩＳ走査体３４の基台４０の下面に沿って配置され、詳細は後述する基台４０の保持部７４によって保持される。そして、折り曲げ部６２の第３部分６２ｃの一端部側は、ＣＩＳ走査体３４の側面に沿って上方に湾曲する（つまりＣＩＳ走査体３４の側面近傍位置を通るように配線される）連結部６４を介して、コネクタ４４に接続されるフラットケーブル３８の一端部に連なる。
【００４５】
すなわち、この第１実施例では、フラットケーブル３８に折り曲げ部６２を形成することで、追従変形部６０の主走査方向における配線位置をコネクタ４４の位置よりも後ろ側にずらすようにしている。これは、追従変形部６０を後側の側壁２４ｂに沿う位置までずらすことで、追従変形部６０が上筐体部２４ｃによって上方を覆われる位置を通る、つまり平面視において上筐体部２４ｃによって隠される位置を通るように、追従変形部６０を配線するためである（図９参照）。また、図９において、上筐体部２４ｃの左側（図中）の側面２４ｃ-1は主走査方向において原稿を載置する時に原稿端部を接触させて原稿を位置合わせの載置基準である。側面２４ｃ-1は主走査方向において、追従変形部６０の前端部６０ｃよりも前側に位置している。これによって、仮に追従変形部６０が原稿載置台２６の下面に接触して原稿載置台２６が汚れたり、原稿載置台２６にすり傷がついたりしたとしても、上筐体部２４ｃが設けられる部分は主走査方向において、原稿が原稿載置台２６に載置される載置領域外、すなわち、画像読取領域外であるので、画像劣化に繋がらない。また、この汚れやすり傷はユーザからは見えないので、画像読取装置１０の美感が低下することもない。
【００４６】
続いて、ＣＩＳ走査体３４によるフラットケーブル３８の保持構造について説明する。ＣＩＳ走査体３４の基台４０には、後端部の左側面下部にコネクタ４４を露出させるための開口７０が形成される。この開口７０は、基台４０の左側面下部から下面側まで拡がるように形成される。つまり、開口７０は、側面視で基台４０の左下角部を断面略Ｌ字状に切り欠くように形成されている。これによって、画像読取部４２の回路基板が放熱し易くなる。また、基台４０の左側面には、開口７０の上縁部に沿うように主走査方向と副走査方向と上下方向に突出した庇部７２が形成される。この庇部７２は、コネクタ４４に対してフラットケーブル３８の一端部を差し込む際の差込ガイドとして用いられると共に、コネクタ４４とフラットケーブル３８の一端部との接続状態を保護する保護部として機能する。
【００４７】
基台４０の下面には、フラットケーブル３８の折り曲げ部６２を保持する保持部７４が形成される。具体的に説明すると、保持部７４は、基部７４ａと平板部７４ｂとを含む。基部７４ａは、折り曲げ部６２の第２部分６２ｂと第３部分６２ｃとの連結部分（折り返し部分）に沿うように基台４０の下面から下方に突出する。つまり、基部７４ａは、主走査方向および副走査方向のそれぞれに対して４５度の角度で斜め方向に延びる。このような基部７４ａは、主走査方向における他方側（前側）および副走査方向における他方側（右側）への折り曲げ部６２の移動（位置ずれ）を規制する。一方、平板部７４ｂは、基部７４ａの先端から基台４０の下面と平行に延出する三角板状に形成される。このような平板部７４ｂは、折り曲げ部６２の左前側部分、つまり第３部分６２ｃの一端部側の部分を下面側から支持し、折り曲げ部６２の下方への移動を規制する。なお、折り曲げ部６２の上方への移動は、基台４０の下面によって規制される。つまり、基台４０の下面は、折り曲げ部６２の上側規制部ということができる。
【００４８】
また、基台４０の下面には、副走査方向に延びる矩形平板状の突出部７６が形成される。この突出部７６は、折り曲げ部６２の第２部分６２ｂと第３部分６２ｃとの間に挿通され、上下方向（厚み方向）において、第１部分６２ａの面と第２部分６２ｂの面よりも下側に突出しており、折り曲げ部６２の主走査方向の移動を規制する。また、突出部７６の副走査方向における他方側（右側）の端縁は、副走査方向における一方側（左側）への折り曲げ部６２の移動を規制する。突出部７６が折り曲げ部６２の左側への移動を規制することで、ＣＩＳ走査体３４の往復移動時にコネクタ４４にかかる負荷を軽減することができる。
【００４９】
さらに、基台４０の左下角部には、上下および前後の４つの辺部で形成される略矩形枠状のガイド部７８が形成される。このガイド部７８には、フラットケーブル３８の追従変形部６０と折り曲げ部６２との連結部分が挿通される。ガイド部７８の上辺部７８ａは、追従変形部６０の湾曲部６０ｂが下方に向かって湾曲し易いように湾曲部６０ｂを案内する。また、ガイド部７８の下辺部７８ｂは、この連結部分を下面側から支持することで、折り曲げ部６２を保持する第２の保持部として機能する。さらに、ガイド部７８の前辺部７８ｃおよび後辺部７８ｄは、この連結部分を主走査方向における両側から挟み込むことで、追従変形部６０および折り曲げ部６２の主走査方向の移動を規制する。前辺部７８ｃは前述した突出部７６でもあり、突出部７６はガイド部７８の後辺部７８ｄと連結部分を挟みこんでもいる。なお、図１０のように、ガイド部７８には、下辺部７８ｂの前側端部７８ｅに切欠きが形成されており、追従変形部６０と折り曲げ部６２との連結部分は、この切欠きを介してガイド部７８に嵌め入れられる。すなわち、図８のように下辺部７８ｂの後側端部７８ｆは後辺部７８ｄに繋がっており、下辺部７８ｂの前側端部７８ｅは前辺部７８ｃとは所定の間隔を設けた切欠きが形成され、繋がっていない。この間隔はフラットケーブル３８がその間隔から差し込みやすい幅でよい。
【００５０】
また、ＣＩＳ走査体３４は、原稿載置台２６の下面に当接しながら摺動する摺動部（滑り材）８０を備える。摺動部８０は、ＰＯＭ（ポリオキシメチレン）等の原稿載置台２６に対する摩擦係数が小さい材料によって形成され、基台４０の主走査方向における両端部に設けられる。摺動部８０が原稿載置台２６の下面に当接しながら摺動することで、原稿載置台２６と画像読取部４２との距離を一定に保った状態で、ＣＩＳ走査体３４を副走査方向に円滑に往復移動させることができる。
【００５１】
そして、この実施例では、基台４０の後端部に設けられる摺動部８０は、主走査方向における追従変形部６０の幅内、つまり追従変形部６０の直上に配置される。フラットケーブル３８の折り曲げ部６２を基台４０の下面に配置することで、追従変形部６０の湾曲部６０ｂも基台４０の下側に配置されることになる。このため、筐体２４の上下方向の寸法が小さく、底板２４ａと基台４０の下面との距離が近い場合には、フラットケーブル３８の湾曲部６０ｂによって基台４０の後端部が持ち上げられる状態となることがある。これに対して、追従変形部６０の直上に摺動部８０を配置することで、摺動部８０によって基台４０の後端部の浮きが防止されるので、ＣＩＳ走査体３４をバランス良く往復移動させることができる。
【００５２】
以上のように、この第１実施例によれば、基台４０の下面にフラットケーブル３８の折り曲げ部６２およびその保持部７４を配置したので、これらを収容する筐体２４、延いては画像読取装置１０を副走査方向において小型化することができる。
【００５３】
また、基台４０の下面によって折り曲げ部６２の上面を押さえることで折り曲げ部６２の上方への変位を規制するので、保持部７４は折り曲げ部６２の下面側を支持するだけでよい。したがって、保持部７４の構造を簡略化することができ、上下方向（厚み方向）における基台４０の寸法に与える影響も小さいため、画像読取装置１０の上下方向における小型化に対する要請にも反しない。
【００５４】
さらに、フラットケーブル３８に折り曲げ部６２を形成して追従変形部６０を上筐体部２４ｃの下方に配置したので、仮に追従変形部６０との接触によって原稿載置台２６が汚れたとしても、画像劣化に繋がらず、また、画像読取装置１０の美感が低下することもない。
【００５５】
［第２実施例］
次に、この発明の第２実施例である画像読取装置１０について説明する。上述の第１実施例では、ＣＩＳ走査体３４の副走査方向における一方の端面（左側面）に画像読取部４２のコネクタ４４を設けたが、この第２実施例では、ＣＩＳ走査体３４の副走査方向における他方の端面（右側面）に画像読取部４２のコネクタ４４を設けている。その他の部分の構成については同様であるので、重複する説明は省略する。
【００５６】
この第２実施例においても、上述の第１実施例と同様に、画像読取装置１０を副走査方向において小型化することができる。
【００５７】
［第３実施例］
次に、この発明の第３実施例である画像読取装置１０について説明する。上述の第１実施例と第２実施例では、ＣＩＳ走査体３４の主走査方向の後に画像読取部４２のコネクタ４４を設けたが、この第３実施例では、ＣＩＳ走査体３４の主走査方向の前に画像読取部４２のコネクタ４４を設けている。その他の部分の構成については、同様であるので、重複する説明は省略する。
【００５８】
この第３実施例においても、上述の第１実施例と第２実施例同様に、画像読取装置１０を副走査方向において小型化することができる。
【００５９】
なお、上述の各実施例では、走査体としてＣＩＳ走査体３４を用いたが、ＣＩＳ走査体３４の代わりに、ＣＣＤ（Charge Coupled Device）センサを利用する走査体を用いることもできる。
【００６０】
また、上述の各実施例では、電子写真方式の画像形成部１８を有する画像形成装置１００を例示したが、画像形成部としては、インクジェット方式のものを用いることもできる。
【００６１】
なお、上で挙げた具体的な数値および部品形状などは、いずれも単なる一例であり、製品の仕様などの必要に応じて適宜変更可能である。
【符号の説明】
【００６２】
１０  …画像読取装置
１２  …画像形成装置本体
１８  …画像形成部
２４  …筐体
２４ｃ  …上筐体部
２６  …原稿載置台
３４  …ＣＩＳ走査体
３６  …移動機構
３８  …フラットケーブル
４０  …基台
４２  …画像読取部
４４  …コネクタ
６０  …追従変形部
６２  …折り曲げ部
６４  …連結部
７４  …保持部
７６  …突出部
８０  …摺動部
１００  …画像形成装置
【図１】
2020195044.tif 000003
【図２】
2020195044.tif 000004
【図３】
2020195044.tif 000005
【図４】
2020195044.tif 000006
【図５】
2020195044.tif 000007
【図６】
2020195044.tif 000008
【図７】
2020195044.tif 000009
【図８】
2020195044.tif 000010
【図９】
2020195044.tif 000011
【図１０】
2020195044.tif 000012